(57)【特許請求の範囲】
【請求項１】
空気調和運転において省エネルギー制御を行うことが可能な空調制御システムであって、
設備機器（３，１２１ａ，１２１ｂ，１２１ｃ）の稼働状況に基づいて、前記空気調和運転の運転停止予定時刻（Ｔ２，Ｔ４）を予測する予測部（６４ｃ）と、
前記運転停止予定時刻から遡って前記省エネルギー制御を行った場合に、前記運転停止予定時刻における空調対象空間の快適度が所定範囲内となるような前記省エネルギー制御の開始時刻（Ｔ１，Ｔ３）を決定する決定部（６４ｂ）と、
ユーザからの指令を受け付ける受付部（５０）と、
を備え、
前記予測部は、前記空気調和運転の運転停止時から第１所定時間内に前記指令の受け付けがあった場合に、前記運転停止予定時刻を予測する、
空調制御システム（１，１０１）。
【請求項２】
前記設備機器は、前記空気調和運転を行う空気調和機（３）である、
請求項１に記載の空調制御システム。
【請求項３】
前記空気調和運転の運転停止時刻を記録する記録部（６５）を更に備え、
前記予測部は、前記記録部に記録されている過去の前記運転停止時刻に基づいて、前記運転停止予定時刻を予測する、
請求項１または２に記載の空調制御システム。
【請求項４】
所定期間における前記運転停止時刻の正規分布を算出する算出部（６４ａ）を更に備え、
前記予測部は、前記算出部によって算出される前記正規分布を利用して前記運転停止予定時刻を予測する、
請求項３に記載の空調制御システム。
【請求項５】
前記予測部は、前記運転停止予定時刻を、前記指令を受け付けた時刻から第２所定時間後と予測する、
請求項１に記載の空調制御システム。
【請求項６】
前記設備機器は、前記空調対象空間内に配備される照明（１２１ａ，１２１ｂ，１２１ｃ）を含む、
請求項１に記載の空調制御システム。
【請求項７】
空気調和運転において省エネルギー制御を行うことが可能な空調制御システムであって、
空調対象空間内の人の存在を検知する検知部（２５１）と、
前記検知部の検知結果に基づいて前記空気調和運転の運転停止予定時刻（Ｔ２）を予測する第１予測部（２６４ｃ，３６４ｄ）と、
前記運転停止予定時刻から遡って前記省エネルギー制御を行った場合に、前記運転停止予定時刻における前記空調対象空間の快適度が所定範囲内となるような前記省エネルギー制御の開始時刻（Ｔ１）を決定する決定部（２６４ｂ）と、
ユーザからの指令を受け付ける受付部（２５０）と、
を備え、
前記第１予測部は、前記空気調和運転の運転停止時から第１所定時間内に前記指令の受け付けがあった場合に、前記運転停止予定時刻を予測する、
空調制御システム（２０１）。
【請求項８】
設備機器（２０３，２２１ａ，２２１ｂ，２２１ｃ）の稼働状況に基づいて前記空気調和運転の前記運転停止予定時刻を予測する第２予測部（３６４ｅ）を更に備え、
予め設定されている設定条件に基づいて、前記第１予測部または前記第２予測部のいずれか一方が前記運転停止予定時刻を予測する、
請求項７に記載の空調制御システム。
【発明の詳細な説明】
【技術分野】
【０００１】
本発明は、空調制御システムに関する。
【背景技術】
【０００２】
空気調和運転が行われている空調対象空間内では、空気調和機の運転を停止しても、しばらくの間、快適性が維持されていることがある。そこで、従来より、省エネルギーを実現させるために、予め設定されている運転停止時刻より前に空調対象空間への給気を停止させる停止制御を行う空調制御システムがある。
【０００３】
例えば、予め設定されている曜日等の空調スケジュールに基づいて空気調和機の運転停止時刻を決定し、運転停止時刻から遡って停止制御を開始した場合に運転停止時刻における空調対象空間内の温度が予め設定されている適温範囲の下限値となるような時刻を最適停止時刻（以下、制御開始時刻という）として決定する空調制御システムがある（特許文献１参照）。
【特許文献１】特開２００７−１３２５９８号公報
【発明の開示】
【発明が解決しようとする課題】
【０００４】
ところで、特許文献１に開示されている空調制御システムでは、空調スケジュールに基づいて空気調和機の運転停止時刻が決定されている。このため、空調スケジュールが設定されていない場合、この空調制御システムを使用することができない。
【０００５】
そこで、本発明の課題は、スケジュール設定が為されていない場合でも、省エネルギーを実現させることができる空調制御システムを提供することにある。
【課題を解決するための手段】
【０００６】
第１発明に係る空調制御システムは、空気調和運転において省エネルギー制御を行うことが可能な空調制御システムであって、予測部と、決定部と、受付部と、を備えている。予測部は、設備機器の稼働状況に基づいて、空気調和運転の運転停止予定時刻を予測する。決定部は、運転停止時刻から遡って省エネルギー制御を行った場合に、運転停止予定時刻における空調対象空間の快適度が所定範囲内となるような省エネルギー制御の開始時刻を決定する。受付部は、ユーザからの指令を受け付ける。また、予測部は、空気調和運転の運転停止時から第１所定時間内に指令の受け付けがあった場合に、運転停止予定時刻を予測する。
【０００７】
第１発明に係る空調制御システムでは、予測部によって、空気調和運転の運転停止予定時刻が予測されている。このため、決定部は、予測部によって予測された運転停止予定時刻を利用して、省エネルギー制御の開始時刻を決定することができる。したがって、現在時刻が省エネルギー制御の開始時刻に到達した場合、空気調和運転において省エネルギー制御を開始することができる。
【０００８】
これによって、スケジュール設定が為されていない場合でも、省エネルギーを実現させることができる。
【０００９】
また、この空調制御システムでは、予測部が、空気調和運転の運転停止時から第１所定時間内に指令の受け付けがあった場合に、運転停止予定時刻を予測するため、ユーザからの指令を受け付けた場合に、運転停止予定時刻を予測することができる。
【００１０】
これによって、ユーザがスケジュール設定を行う手間を省くことができる。
【００１１】
第２発明に係る空調制御システムは、第１発明の空調制御システムであって、設備機器は、空気調和運転を行う空気調和機である。このため、この空調制御システムでは、空気調和機の稼働状況に基づいて、運転停止予定時刻を予測することができる。
【００１２】
第３発明に係る空調制御システムは、第１発明または第２発明に係る空調制御システムであって、記録部を更に備えている。記録部は、空気調和運転の運転停止時刻を記録する。また、予測部は、記録部に記録されている過去の運転停止時刻に基づいて、運転停止予定時刻を予測する。このため、この空調制御システムでは、過去の運転停止時刻に基づいて、運転停止予定時刻を予測することができる。
【００１３】
これによって、ユーザがスケジュール設定を行う手間を省くことができる。
【００１４】
第４発明に係る空調制御システムは、第３発明の空調制御システムであって、算出部を更に備えている。算出部は、所定期間における運転停止時刻の正規分布を算出する。また、予測部は、算出部によって算出される正規分布を利用して運転停止予定時刻を予測する。このため、この空調制御システムでは、所定期間における運転停止時刻の正規分布を利用して運転停止予定時刻を予測することができる。
【００１５】
第５発明に係る空調制御システムは、第１発明の空調制御システムであって、予測部は、運転停止予定時刻を、指令を受け付けた時刻から第２所定時間後と予測する。このため、この空調制御システムでは、運転停止予定時刻を予測することができる。
【００１６】
第６発明に係る空調制御システムは、第１発明の空調制御システムであって、設備機器は、空調対象空間内に配備される照明を含む。このため、この空調制御システムでは、照明機器の稼働状況に基づいて、運転停止予定時刻を予測することができる。
【００１７】
第７発明に係る空調制御システムは、空気調和運転において省エネルギー制御を行うことが可能な空調制御システムであって、検知部と、第１予測部と、決定部と、受付部と、を備えている。検知部は、空調対象空間内の人の存在を検知する。第１予測部は、検知部の検知結果に基づいて、空気調和運転の運転停止予定時刻を予測する。決定部は、運転停止予定時刻から遡って省エネルギー制御を行った場合に、運転停止予定時刻における空調対象空間の快適度が所定範囲内となるような省エネルギー制御の開始時刻を決定する。受付部は、ユーザからの指令を受け付ける。また、第１予測部は、空気調和運転の運転停止時から第１所定時間内に指令の受け付けがあった場合に、運転停止予定時刻を予測する。
【００１８】
第７発明に係る空調制御システムでは、第１予測部は、検知部の検知結果に基づいて、運転停止予定時刻を予測する。また、決定部は、運転停止予定時刻を利用して、省エネルギー制御の開始時刻を決定する。このため、この空調制御システムでは、現在時刻が省エネルギー制御の開始時刻に到達した場合、空気調和運転において省エネルギー制御を開始することができる。
【００１９】
これによって、スケジュール設定が為されていない場合でも、省エネルギーを実現させることができる。
【００２０】
また、この空調制御システムでは、第１予測部が、空気調和運転の運転停止時から第１所定時間内に指令の受け付けがあった場合に、運転停止予定時刻を予測するため、ユーザからの指令を受け付けた場合に、運転停止予定時刻を予測することができる。
【００２１】
これによって、ユーザがスケジュール設定を行う手間を省くことができる。
【００２２】
第８発明に係る空調制御システムは、第７発明の空調制御システムであって、第２予測部を更に備えている。第２予測部は、設備機器の稼働状況に基づいて、空気調和運転の運転停止予定時刻を予測する。また、予め設定されている設定条件に基づいて、第１予測部または第２予測部のいずれか一方が、運転停止予定時刻を予測する。このため、例えば、ユーザが予め設定を行うことができる場合、ユーザの都合に応じた設定条件に基づいて、第１予測部または第２予測部のいずれか一方が運転停止予定時刻を予測することになる。
【００２３】
これによって、ユーザの快適性を向上させることができる。
【発明の効果】
【００２４】
第１発明に係る空調制御システムでは、スケジュール設定が為されていない場合でも、省エネルギーを実現させることができる。
【００２５】
第２発明に係る空調制御システムでは、空気調和機の稼働状況に基づいて、運転停止予定時刻を予測することができる。
【００２６】
第３発明に係る空調制御システムでは、ユーザ者がスケジュール設定を行う手間を省くことができる。
【００２７】
第４発明に係る空調制御システムでは、所定期間における運転停止時刻の正規分布を利用して運転停止予定時刻を予測することができる。
【００２８】
第５発明に係る空調制御システムでは、運転停止予定時刻を予測することができる。
【００２９】
第６発明に係る空調制御システムでは、照明機器の稼働状況に基づいて、運転停止予定時刻を予測することができる。
【００３０】
第７発明に係る空調制御システムでは、スケジュール設定が為されていない場合でも、省エネルギーを実現させることができる。
【００３１】
第８発明に係る空調制御システムでは、ユーザの快適性を向上させることができる。
【発明を実施するための最良の形態】
【００３２】
−第１実施形態−
本発明の第１実施形態に係る空気調和システム１の概略冷媒回路図を図１に示す。
【００３３】
＜空気調和システムの概略構成＞
この空気調和システム１は、主に、空気調和機３と、コントローラ５０と、空調制御装置６０とを備えている。空気調和機３は、空調対象空間内から空気を取り込み、取り込んだ空気を空気調和して調和空気を生成し、この調和空気を空調対象空間内に供給する。
【００３４】
コントローラ５０は、空調対象空間に居る空調対象者が空気調和機３の設定等を操作するための操作手段である。また、コントローラ５０には、空調対象者が上記操作を行うための複数のスイッチが設けられている。
【００３５】
空調制御装置６０は、空気調和機３からの運転データを受信したり、コントローラ５０を介して空調対象者から送信される設定等の指示情報を制御指令として空気調和機３に送信したりする。
【００３６】
（１）空気調和機
空気調和機３は、室内機２ａ，２ｂ，２ｃと、室外機２０とから構成されており、冷房運転および暖房運転等を含む空気調和運転を行うことができる。室内機２ａ，２ｂ，２ｃ内には、室内熱交換器４ａ，４ｂ，４ｃや室内ファン５ａ，５ｂ，５ｃ等が収容されている。室内熱交換器４ａ，４ｂ，４ｃは、接触する空気との間で熱交換を行い、調和空気を生成する。また、室内熱交換器４ａ，４ｂ，４ｃは、冷房運転時には、冷媒の蒸発器として機能して取り込まれた空気を冷却し、暖房運転時には、冷媒の凝縮器として機能して取り込まれた空気を加熱する。室内ファン５ａ，５ｂ，５ｃは、空調対象空間内の空気を吸い込んで熱交換器に通し、熱交換が行われた後の調和空気を空調対象空間内に排出する。また、室内機２ａ，２ｂ，２ｃには、室内機制御部６１ａ，６１ｂ，６１ｃが内蔵されている。室内機制御部６１ａ，６１ｂ，６１ｃは、空調制御装置６０から送信される制御指令を受信し、その受信した制御指令に基づいて、室内機２ａ，２ｂ，２ｃ内の室内熱交換器４ａ，４ｂ，４ｃや室内ファン５ａ，５ｂ，５ｃ等の各種機器を制御する。
【００３７】
また、室外機２０には、室外機制御部６２が内蔵されている。室外機制御部６２は、空調制御装置６０から送信される制御指令に基づいて、室外機２０に収容されている圧縮機９、室外ファン７、室外熱交換器６、四路切換弁８および室外膨張弁１２等の各種機器の制御を行う。
【００３８】
（２）空調制御装置
空調制御装置６０は、図２に示すように、指示情報等を送受信するための通信部６３と、記憶部６５と、ＲＡＭやＣＰＵ等からなる制御部６４とを備えている。
【００３９】
通信部６３は、コントローラ５０を介して送信される空調対象者からの指示情報を受信して、制御部６４に送信する。また、通信部６３は、制御部６４から受信した制御指令を室内機制御部６１ａ，６１ｂ，６１ｃおよび室外機制御部６２に送信する。
【００４０】
記憶部６５には、所定期間（例えば、１ヶ月）内の空気調和運転の運転停止時刻が記憶されている。
【００４１】
制御部６４は、通信部６３から送信される空調対象者からの指示情報に基づいた空気調和機３が行う運転内容についての制御指令を、通信部６３に送信する。運転内容についての制御指令とは、例えば、空気調和運転の運転開始や運転停止、設定温度や設定風量の変更および省エネルギー制御の開始等の制御指令である。また、省エネルギー制御とは、空気調和機３の消費電力を抑制するために、空気調和運転時に行われる制御である。なお、本実施形態では、省エネルギー制御とは、強制サーモオフを行う制御とする。
【００４２】
また、空気調和運転時には、制御部６４は、室温サーミスタによって検出される室内温度情報から得られる室内温度値と、外気温度サーミスタによって検出される外気温度情報から得られる外気温度値とに基づいて、室内環境が快適であるか否かを判定する。また、制御部６４による前記判定は所定時間（例えば、３分）毎に行われる。なお、室内環境が快適であるか否かの判定は、図３に示す快適範囲Ｗに基づいて行われる。快適範囲Ｗとは、暖房運転時では、室内温度値＞外気温度値＋５となる範囲であり、冷房運転時では、室内温度値＜外気温度値−５となる範囲である。制御部６４は、室内環境が快適でないと判定した場合、室内温度値Ｘが快適範囲Ｗ内となるように、通信部６３に制御指令を送信する。また、本実施形態では、快適範囲Ｗを室内温度および外気温度に基づいて設定しているが、室内環境が快適であるか否かを判定するための指標となるものであれば、これに限定されない。例えば、快適範囲を、室内温度と指標温度とから設定したり、設定温度と室内温度とから設定したり、室内温度の変化から設定したり、空調対象空間の不快指数から設定したりすることができる。室内温度と指標温度とから設定される快適範囲とは、例えば指標温度を２８度に設定すると、冷房運転時では、室内温度値＜２８となる範囲である。また、設定温度と室内温度とから設定する快適範囲とは、例えば、冷房運転時では、室内温度値＜設定温度値＋２となる範囲である。室内温度の変化から設定される快適範囲とは、例えば、冷房運転時では、現在の室内温度値＜空気調和運転において省エネルギー制御が行われる以前の室内温度値＋２となる範囲である。不快指数から設定される快適範囲とは、例えば、冷房運転時では、室内温度値＋室内湿度値＜所定値以下となる範囲である。
【００４３】
さらに、制御部６４は、算出部６４ａと、予測部６４ｃと、決定部６４ｂとを有する。
【００４４】
算出部６４ａは、所定期間（例えば、１ヶ月）内の過去の運転停止時刻に基づいて、その正規分布を算出する。
【００４５】
予測部６４ｃは、算出された正規分布の中央値を算出する。また、決定部６４ｂは、予測部６４ｃによって算出された値を運転の停止予定時刻Ｔ２に決定する。さらに、決定部６４ｂは、省エネルギー制御の開始時刻Ｔ１を決定する。省エネルギー制御の開始時刻Ｔ１とは、運転停止予定時刻Ｔ２から遡って省エネルギー制御を行った場合に、運転停止予定時刻Ｔ２における室内温度値Ｘが快適範囲Ｗの境界部Ｌとなるような時刻である。快適範囲Ｗの境界部Ｌとは、具体的には、暖房運転時には、室内温度値＝外気温度値＋５となる部分であり、冷房運転時には、室内温度値＝外気温度値−５となる部分である。
【００４６】
＜空調制御システムの制御動作＞
図４は、本実施形態の空気調和システム１による処理の流れを示すフローチャートである。この処理は、空調制御装置６０の記憶部６５に格納された所定の制御プログラムに従って、制御部６４によって実行される。
【００４７】
制御部６４は、空気調和運転時に、予測部６４ｃによって算出される正規分布の中央値を運転の停止予定時刻Ｔ２に決定する（ステップＳ１）。また、制御部６４は、省エネルギー制御の開始時刻Ｔ１を決定する。そして、現在時刻が省エネルギー制御の開始時刻Ｔ１に到達すると、通信部６３から室内機制御部６１ａ，６１ｂ，６１ｃおよび室外機制御部６２に、省エネルギー制御開始の制御指令が送信される。省エネルギー制御開始の制御指令が通信部６３から送信されると、室内機制御部６１ａ，６１ｂ，６１ｃは室内機２ａ，２ｂ，２ｃ内の各種機器を制御し、室外機制御部６２は室外機２０内の各種機器を制御することで、空気調和運転において省エネルギー制御を行う。
【００４８】
そして、省エネルギー制御を開始してから、現在時刻が停止予定時刻Ｔ２に到達するまでに、コントローラ５０を介した空調対象者からの指示がなかった場合、空調制御装置６０から室内機制御部６１ａ，６１ｂ，６１ｃおよび室外機制御部６２に、空気調和機３の運転停止の制御指令が送信される（ステップＳ２、ステップＳ３およびステップＳ４）。運転停止の制御指令が通信部６３から送信されると、室内機制御部６１ａ，６１ｂ，６１ｃは室内機２ａ，２ｂ，２ｃ内の各種機器を制御し、室外機制御部６２は室外機２０内の各種機器を制御することで、空気調和運転を停止させる。
【００４９】
また、現在時刻が停止予定時刻Ｔ２に到達するまでに、コントローラ５０を介して空調対象者から指示があった場合、制御部６４は、その指示内容が空気調和機３の運転停止指示であるか否かを判断する（ステップＳ５）。指示内容が空気調和機３の運転停止指示であった場合、通信部６３から室内機制御部６１ａ，６１ｂ，６１ｃおよび室外機制御部６２に運転停止の制御指令が送信される。そして、室内機制御部６１ａ，６１ｂ，６１ｃは室内機２ａ，２ｂ，２ｃ内の各種機器を制御し、室外機制御部６２は、室外機２０内の各種機器を制御することで、空気調和運転を停止させる。また、指示内容が空気調和機３の運転停止指示以外の指示（例えば、設定温度の変更等）Ｐ１であった場合（図５参照）、通信部６３から室内機制御部６１ａ，６１ｂ，６１ｃおよび室外機制御部６２に、省エネルギー制御解除の制御指令、および、この指示に基づく制御指令が送信される（ステップＳ６）。そして、通信部６３から送信された制御指令に基づいて、室内機制御部６１ａ，６１ｂ，６１ｃは室内機２ａ，２ｂ，２ｃ内の各種機器を制御し、室外機制御部６２は室外機２０内の各種機器を制御する。また、空調対象者によって、運転停止の指示が出されるまで、空気調和運転が行われる。そして、空調対象者によって、空気調和運転の運転停止の指示Ｐ２が出された場合、通信部６３から室内機制御部６１ａ，６１ｂ，６１ｃおよび室外機制御部６２に、空気調和運転の運転停止の制御指令が送信される（ステップＳ４およびステップＳ７）。通信部６３から運転停止の制御指令が送信されると、室内機制御部６１ａ，６１ｂ，６１ｃは室内機２ａ，２ｂ，２ｃ内の各種機器を制御し、室外機制御部６２は室外機２０内の各種機器を制御することで、空気調和運転を停止させる。
【００５０】
また、現在時刻が停止予定時刻Ｔ２に到達した後に、コントローラ５０を介して空調対象者から空気調和運転の運転開始指示があった場合（図６参照）、通信部６３から室内機制御部６１ａ，６１ｂ，６１ｃおよび室外機制御部６２に運転開始の制御指令Ｐ１が送信される。そして、通信部６３から運転開始の制御指令が送信されると、室内機制御部６１ａ，６１ｂ，６１ｃは室内機２ａ，２ｂ，２ｃ内の各種機器を制御し、室外機制御部６２は室外機２０内の各種機器を制御することによって、空気調和機３の運転が開始される（ステップＳ８）。この場合もまた、空調対象者によって、運転停止の指示Ｐ２が出されるまで、空気調和運転が行われる。なお、図５および図６におけるＰ１およびＰ２は、空調対象者からの運転停止以外の指示Ｐ１があった時刻、および、空調対象者から運転停止の指示Ｐ２があった時刻を示している。
【００５１】
＜特徴＞
（１）
空気調和運転が行われている空調対象空間内では、空気調和機の運転を停止しても、しばらくの間、快適性が維持されていることがある。そこで、従来より、省エネルギーを実現させるために、予め設定されている運転停止時刻より前に空調対象空間への給気を停止させる停止制御を行う空調制御システムがある。
【００５２】
例えば、特開２００７−１３２５９８号公報に開示されている空調制御システムでは、予め設定されている曜日等の空調スケジュールに基づいて空気調和機の運転停止時刻を決定し、運転停止時刻から遡って停止制御を開始した場合に運転停止時刻における空調対象空間内の温度が予め設定されている適温範囲の下限値となるような時刻を制御開始時刻として決定している。
【００５３】
ところで、この空調制御システムでは、空調スケジュールに基づいて空気調和機の運転停止時刻が決定されている。このため、空調スケジュールが設定されていない場合、この空調制御システムを使用することができない。
【００５４】
そこで、上記実施形態では、制御部６４が算出部６４ａおよび決定部６４ｂとして機能する。算出部６４ａは、所定期間内の過去の運転停止時刻に基づいて、その正規分布を算出する。また、決定部６４ｂは、算出された正規分布の中央値を運転の停止予定時刻Ｔ２に決定する。さらに、決定部６４ｂは、省エネルギー制御の開始時刻Ｔ１を決定する。このため、現在時刻が省エネルギー制御の開始時刻Ｔ１に到達した場合、省エネルギー制御を開始することができる。
【００５５】
これによって、スケジュール設定が為されていない場合でも、省エネルギーを実現させることができている。
【００５６】
また、決定部６４ｂは、算出部６４ａによって算出される過去の運転停止時刻を利用して、運転停止予定時刻Ｔ２を決定している。このため、空気調和機３の過去の運転実績に基づいて、運転停止予定時刻Ｔ２を決定することができる。
【００５７】
これによって、空調対象者がスケジュール設定を行う手間を省くことができている。
【００５８】
＜変形例＞
（Ａ）
上記実施形態では、省エネルギー制御の開始時刻Ｔ１から空気調和運転の停止予定時刻Ｔ２までの間、コントローラ５０を介して空調対象者から空気調和機３の運転停止指示以外の指示があった場合、空調対象者によって運転停止の指示が出されるまで、空気調和運転が継続されている。また、現在時刻が空気調和運転の運転停止予定時刻Ｔ２に到達した後に、コントローラ５０を介して空調対象者から空気調和運転の運転開始指示があった場合、空調対象者によって運転停止の指示が出されるまで、空気調和運転が継続されている。しかし、省エネルギー制御の開始時刻から運転停止予定時刻までの間、または、運転停止時刻に到達した後に、コントローラを介して空調対象者から空気調和運転の運転停止指示以外の指示があった場合、停止予定時刻を、その指示があった時刻から所定時間（例えば、３０分後）後に変更することができてもよい。
【００５９】
例えば、図７に示すように、制御部によって運転停止予定時刻Ｔ２および省エネルギー制御の制御開始時刻Ｔ１が決定され（ステップＳ１１）、現在時刻が省エネルギー制御の開始時刻Ｔ１に到達すると、通信部から室内機制御部および室外機制御部に、省エネルギー制御開始の制御指令が送信される。省エネルギー制御開始の制御指令が通信部から送信されると、室内機制御部は室内機内の各種機器を制御し、室外機制御部は室外機内の各種機器を制御することで、空気調和運転において省エネルギー制御を行う。
【００６０】
そして、省エネルギー制御を開始してから、現在時刻が停止予定時刻Ｔ２に到達するまでに、コントローラを介した空調対象者からの指示がなかった場合、通信部から室内機制御部および室外機制御部に、空気調和運転の運転停止の制御指令が送信される（ステップＳ１２、ステップＳ１３およびステップＳ１４）。運転停止の制御指令が通信部から送信されると、室内機制御部は室内機内の各種機器を制御し、室外機制御部は室外機内の各種機器を制御することで、空気調和運転を停止させる。
【００６１】
また、現在時刻が停止時予定時刻Ｔ２に到達するまでに、コントローラを介して空調対象者から指示があった場合、制御部は、その指示内容が空気調和運転の運転停止指示であるか否かを判断する（ステップＳ１５）。指示内容が空気調和運転の運転停止指示であった場合、通信部から室内機制御部および室外機制御部に運転停止の制御指令が送信される（ステップＳ１４）。そして、室内機制御部は室内機内の各種機器を制御し、室外機制御部は、室外機内の各種機器を制御することで、空気調和運転を停止させる。また、指示内容が、空気調和運転の運転停止指示以外の指示（例えば、設定温度の変更等）Ｐ１であった場合（図８参照）、通信部から室内機制御部および室外機制御部に、省エネルギー制御解除の制御指令、および、この指示に基づく制御指令が送信される。そして、通信部から送信された制御指令に基づいて、室内機制御部は室内機内の各種機器を制御し、室外機制御部は室外機内の各種機器を制御する。また、制御部は、空調対象者からの指示があった時刻から所定時間（例えば、１時間）Ｔｗ後の時刻を新たな停止予定時刻Ｔ４として、予め決定していた停止予定時刻Ｔ２から変更する（ステップＳ１６）。また、制御部は、変更された停止予定時刻Ｔ４に基づいて、省エネルギー制御の開始時刻Ｔ３を再び決定する。そして、現在時刻が、再び決定された省エネルギー制御の開始時刻Ｔ３に到達すると、通信部から室内機制御部および室外機制御部に、省エネルギー制御開始の制御指令が送信される。省エネルギー制御開始の制御指令が通信部から送信されると、室内機制御部は室内機内の各種機器を制御し、室外機制御部は室外機内の各種機器を制御することで、空気調和運転において省エネルギー制御を行う。
【００６２】
そして、省エネルギー制御を開始してから、現在時刻が停止予定時刻Ｔ４に到達するまでに、コントローラを介した空調対象者からの指示がなかった場合、通信部から室内機制御部および室外機制御部に、空気調和運転の運転停止の制御指令が送信される（ステップＳ１２、ステップＳ１３およびステップＳ１４）。運転停止の制御指令が通信部から送信されると、室内機制御部は室内機内の各種機器を制御し、室外機制御部は室外機内の各種機器を制御することで、空気調和運転を停止させる。
【００６３】
また、現在時刻が停止時予定時刻Ｔ４に到達するまでに、コントローラを介して空調対象者から指示があった場合、制御部は、その指示内容が空気調和運転の運転停止指示であるか否かを判断する（ステップＳ１２およびステップＳ１５）。指示内容が空気調和運転の運転停止指示であった場合、通信部から室内機制御部および室外機制御部に運転停止の制御指令が送信される（ステップＳ１４）。そして、室内機制御部は室内機内の各種機器を制御し、室外機制御部は、室外機内の各種機器を制御することで、空気調和運転を停止させる。また、指示内容が、空気調和運転の運転停止指示以外の指示（例えば、設定温度の変更等）であった場合、通信部から室内機制御部および室外機制御部に、省エネルギー制御解除の制御指令、および、この指示に基づく制御指令が送信される。そして、通信部から送信された制御指令に基づいて、室内機制御部は室内機内の各種機器を制御し、室外機制御部は室外機内の各種機器を制御する。また、制御部は、空調対象者からの指示があった時刻から所定時間（例えば、１時間）後の時刻を新たな停止予定時刻として、予め決定していた停止予定時刻から変更する。このようにして、現在時刻が運転停止予定時刻に到達するまで、あるいは、空調対象者からの運転停止の指示が出されるまで、空気調和運転が行われる。
【００６４】
また、現在時刻が停止予定時刻Ｔ２，Ｔ４に到達した後に、コントローラを介して空調対象者から空気調和運転の運転開始指示があった場合、通信部から室内機制御部および室外機制御部に運転開始の制御指令が送信される（ステップＳ１７）。そして、通信部から運転開始の制御指令が送信されると、室内機制御部は室内機内の各種機器を制御し、室外機制御部は室外機内の各種機器を制御することによって、空気調和機の運転が開始される。また、制御部は、空調対象者からの運転開始の指示があった時刻から所定時間（例えば、１時間）後の時刻を停止予定時刻として決定する（ステップＳ１８）。また、制御部は、停止予定時刻に基づいて、省エネルギー制御開始時刻を決定する。そして、現在時刻が、省エネルギー制御の開始時刻に到達すると、通信部から室内機制御部および室外機制御部に、省エネルギー制御開始の制御指令が送信される。省エネルギー制御開始の制御指令が通信部から送信されると、室内機制御部は室内機内の各種機器を制御し、室外機制御部は室外機内の各種機器を制御することで、空気調和運転において省エネルギー制御を行う。
【００６５】
そして、省エネルギー制御を開始してから、現在時刻が停止予定時刻に到達するまでに、コントローラを介した空調対象者からの指示がなかった場合、通信部から室内機制御部および室外機制御部に、空気調和運転の運転停止の制御指令が送信される（ステップＳ１２、ステップＳ１３およびステップＳ１４）。運転停止の制御指令が通信部から送信されると、室内機制御部は室内機内の各種機器を制御し、室外機制御部は室外機内の各種機器を制御することで、空気調和運転を停止させる。また、現在時刻が停止予定時刻に到達するまでにコントローラを介した空調対象者からの指示があった場合には、ステップＳ１２およびステップＳ１５を経てステップＳ１４に至るか、もしくは、ステップＳ１２、ステップＳ１５およびステップＳ１６を繰り返す。また、現在時刻が停止予定時刻に到達した後に、コントローラを介して空調対象者から空気調和運転の運転開始指示があった場合は、ステップＳ１７およびステップＳ１８を経てステップＳ１２、ステップＳ１５からステップＳ１４に至るか、もしくは、ステップＳ１７およびステップＳ１８を経て、ステップＳ１２、ステップＳ１５およびステップＳ１６を介して、再び、ステップＳ１２に至る。
【００６６】
これによって、省エネルギー制御開始時刻から運転停止予定時刻までの間、または、運転停止予定時刻に到達してから、空調対象者からの指令があった場合でも、新たな運転停止予定時刻および新たな省エネルギー制御の開始時刻を決定することができる。
【００６７】
（Ｂ）
上記実施形態では、決定部６４ｂは、算出部６４ａによって算出される過去の運転停止時刻の正規分布における中央値を運転の停止予定時刻に決定している。しかし、例えば、運転停止予定時刻を、過去の運転停止時刻の正規分布における中央値±所定値の範囲で決定してもよい。なお、中央値±所定値の範囲は季節等によって適宜決定される。また、運転停止予定時刻を、所定期間（例えば、１ヶ月）内における空気調和運転の運転停止時刻のうちの最も遅い時刻に決定してもよく、所定期間（例えば、１ヶ月）内における過去の空気調和運転の運転停止時刻の平均値に決定してもよい。さらに、所定期間（例えば、１ヶ月）内の所定時間帯（例えば、１７：００から２２：００）における過去の運転停止時刻の正規分布を算出し、その中央値または中央値±所定値を運転停止時刻に決定してもよい。
【００６８】
（Ｃ）
上記実施形態では、決定部６４ｂは、算出部６４ａによって算出される過去の運転停止時刻の正規分布における中央値を、空気調和運転の停止予定時刻Ｔ２に決定している。しかし、予め設定されている設定時刻（以下、設定停止時刻という）に空気調和運転を停止し、その後、空調対象者から運転開始等の指示があった場合に、運転停止予定時刻および省エネルギー制御開始時刻が決定されてもよい。
【００６９】
例えば、図９に示すように、現在時刻が設定停止時刻Ｔｓに到達した場合、通信部から室内機制御部および室外機制御部に、空気調和運転の運転停止の制御指令が送信される（ステップＳ２１）。運転停止の制御指令が通信部から送信されると、室内機制御部は室内機内の各種機器を制御し、室外機制御部は室外機内の各種機器を制御することで、空気調和運転を停止させる。
【００７０】
そして、空気調和運転の運転が停止してから、所定時間（例えば、１時間）Ｔｘ内に、コントローラを介して空調対象者から空気調和運転の運転開始指示Ｐ１があった場合、通信部から室内機制御部および室外機制御部に運転開始の制御指令が送信される（ステップＳ２２）（図１０参照）。そして、通信部から運転開始の制御指令が送信されると、室内機制御部は室内機内の各種機器を制御し、室外機制御部は室外機内の各種機器を制御することによって、空気調和機の運転が開始される。また、制御部は、算出部によって算出される正規分布の中央値を運転の停止予定時刻Ｔ２に決定する（ステップＳ２３）。さらに、制御部は、省エネルギー制御の開始時刻Ｔ１を決定する。そして、現在時刻が省エネルギー制御の開始時刻Ｔ１に到達すると、通信部から室内機制御部および室外機制御部に、省エネルギー制御開始の制御指令が送信される。省エネルギー制御開始の制御指令が通信部から送信されると、室内機制御部は室内機内の各種機器を制御し、室外機制御部は室外機内の各種機器を制御することで、空気調和運転において省エネルギー制御を行う。
【００７１】
そして、省エネルギー制御を開始してから、現在時刻が停止予定時刻Ｔ２に到達するまでに、コントローラを介した空調対象者からの指示がなかった場合、通信部から室内機制御部および室外機制御部に、空気調和運転の運転停止の制御指令が送信される（ステップＳ２４、ステップＳ２５およびステップＳ２６）。運転停止の制御指令が通信部から送信されると、室内機制御部は室内機内の各種機器を制御し、室外機制御部は室外機内の各種機器を制御することで、空気調和運転を停止させる。
【００７２】
また、現在時刻が停止時予定時刻に到達するまでに、コントローラを介して空調対象者から指示があった場合、制御部は、その指示内容が空気調和運転の運転停止指示であるか否かを判断する（ステップＳ２７）。指示内容が空気調和運転の運転停止指示であった場合、通信部から室内機制御部および室外機制御部に運転停止の制御指令が送信される（ステップＳ２６）。そして、室内機制御部は室内機内の各種機器を制御し、室外機制御部は、室外機内の各種機器を制御することで、空気調和運転を停止させる。また、指示内容が、空気調和機の運転停止指示以外の指示（例えば、設定温度の変更等）であった場合、通信部から室内機制御部および室外機制御部に、省エネルギー制御解除の制御指令、および、この指示に基づく制御指令が送信される（ステップＳ２８）。そして、通信部から送信された制御指令に基づいて、室内機制御部は室内機内の各種機器を制御し、室外機制御部は室外機内の各種機器を制御する。また、空調対象者によって運転停止の指示が出された場合、通信部から室内機制御部および室外機制御部に運転停止の制御指令が送信される（ステップＳ２９およびステップＳ２６）。そして、室内機制御部は室内機内の各種機器を制御し、室外機制御部は、室外機内の各種機器を制御することで、空気調和運転を停止させる。なお、空調対象者によって、運転停止の指示が出されるまで、空気調和運転が継続される。
【００７３】
また、現在時刻が停止予定時刻に到達した後に、コントローラを介して空調対象者から空気調和運転の運転開始指示があった場合、通信部から室内機制御部および室外機制御部に運転開始の制御指令が送信される。そして、通信部から運転開始の制御指令が送信されると、室内機制御部は室内機内の各種機器を制御し、室外機制御部は室外機内の各種機器を制御することによって、空気調和機の運転が開始される。この場合もまた、空調対象者によって、運転停止の指示が出されるまで、空気調和運転が継続される。
【００７４】
また、停止予定時刻を、空調対象者からの指示があった時刻から所定時間後の時刻に決定してもよい。例えば、図１１および図１２に示すように、現在時刻が設定停止時刻Ｔｓに到達した場合、通信部から室内機制御部および室外機制御部に、空気調和運転の運転停止の制御指令が送信される（ステップＳ３１）。運転停止の制御指令が通信部から送信されると、室内機制御部は室内機内の各種機器を制御し、室外機制御部は室外機内の各種機器を制御することで、空気調和運転を停止させる。
【００７５】
そして、空気調和運転の運転が停止してから、所定時間（例えば、１時間）Ｔｘ内に、コントローラを介して空調対象者から空気調和運転の運転開始指示Ｐ１があった場合、通信部から室内機制御部および室外機制御部に運転開始の制御指令が送信される（ステップＳ３２）。そして、通信部から運転開始の制御指令が送信されると、室内機制御部は室内機内の各種機器を制御し、室外機制御部は室外機内の各種機器を制御することによって、空気調和機の運転が開始される。また、制御部は、空調対象者からの空気調和運転の運転開始の指示があった時刻から所定時間（例えば、１時間）Ｔｗ後の時刻を停止予定時刻Ｔ２に決定する（ステップＳ３３）。また、制御部は、停止予定時刻Ｔ２に基づいて、省エネルギー制御開始時刻Ｔ１を決定する。そして、現在時刻が、省エネルギー制御の開始時刻Ｔ１に到達すると、通信部から室内機制御部および室外機制御部に、省エネルギー制御開始の制御指令が送信される。省エネルギー制御開始の制御指令が通信部から送信されると、室内機制御部は室内機内の各種機器を制御し、室外機制御部は室外機内の各種機器を制御することで、空気調和運転において省エネルギー制御を行う。
【００７６】
そして、省エネルギー制御を開始してから、現在時刻が停止予定時刻Ｔ２に到達するまでに、コントローラを介した空調対象者からの指示がなかった場合、通信部から室内機制御部および室外機制御部に、空気調和運転の運転停止の制御指令が送信される（ステップＳ３４、ステップＳ３５およびステップＳ３６）。運転停止の制御指令が通信部から送信されると、室内機制御部は室内機内の各種機器を制御し、室外機制御部は室外機内の各種機器を制御することで、空気調和運転を停止させる。
【００７７】
また、現在時刻が停止時予定時刻に到達するまでに、コントローラを介して空調対象者から指示があった場合、制御部は、その指示内容が空気調和運転の運転停止指示であるか否かを判断する（ステップＳ３７）。指示内容が空気調和運転の運転停止指示であった場合、通信部から室内機制御部および室外機制御部に運転停止の制御指令が送信される（ステップＳ３６）。そして、室内機制御部は室内機内の各種機器を制御し、室外機制御部は、室外機内の各種機器を制御することで、空気調和運転を停止させる。また、指示内容が、空気調和運転の運転停止指示以外の指示（例えば、設定温度の変更等）であった場合、通信部から室内機制御部および室外機制御部に、省エネルギー制御解除の制御指令、および、この指示に基づく制御指令が送信される。そして、通信部から送信された制御指令に基づいて、室内機制御部は室内機内の各種機器を制御し、室外機制御部は室外機内の各種機器を制御する。また、制御部は、空調対象者からの指示があった時刻から所定時間（例えば、１時間）後の時刻を新たな停止予定時刻として、予め決定していた停止予定時刻から変更する（ステップＳ３３）。このようにして、現在時刻が運転停止予定時刻に到達するまで、あるいは、空調対象者からの運転停止の指示が出されるまで、空気調和運転が行われる。
【００７８】
また、停止予定時刻が、初回は過去の運転実績に基づいて決定され、２回目以降は指示があった時刻から所定時間後の時刻に決定されてもよい。例えば、図１３および図１４に示すように、現在時刻が設定停止時刻Ｔｓに到達した場合、通信部から室内機制御部および室外機制御部に、空気調和運転の運転停止の制御指令が送信される（ステップＳ４１）。運転停止の制御指令が通信部から送信されると、室内機制御部は室内機内の各種機器を制御し、室外機制御部は室外機内の各種機器を制御することで、空気調和運転を停止させる。
【００７９】
そして、空気調和運転の運転が停止してから、所定時間（例えば、１時間）Ｔｘ内に、コントローラを介して空調対象者から空気調和運転の運転開始指示Ｐ１があった場合、通信部から室内機制御部および室外機制御部に運転開始の制御指令が送信される（ステップＳ４２）。そして、通信部から運転開始の制御指令が送信されると、室内機制御部は室内機内の各種機器を制御し、室外機制御部は室外機内の各種機器を制御することによって、空気調和機の運転が開始される。また、制御部は、算出部によって算出される正規分布の中央値を運転の停止予定時刻Ｔ２に決定する（ステップＳ４３）。さらに、制御部は、省エネルギー制御の開始時刻Ｔ１を決定する。そして、現在時刻が省エネルギー制御の開始時刻Ｔ１に到達すると、通信部から室内機制御部および室外機制御部に、省エネルギー制御開始の制御指令が送信される。省エネルギー制御開始の制御指令が通信部から送信されると、室内機制御部は室内機内の各種機器を制御し、室外機制御部は室外機内の各種機器を制御することで、空気調和運転において省エネルギー制御を行う。
【００８０】
そして、省エネルギー制御を開始してから、現在時刻が停止予定時刻Ｔ２に到達するまでに、コントローラを介した空調対象者からの指示がなかった場合、通信部から室内機制御部および室外機制御部に、空気調和運転の運転停止の制御指令が送信される（ステップＳ４４、ステップＳ４５およびステップＳ４６）。運転停止の制御指令が通信部から送信されると、室内機制御部は室内機内の各種機器を制御し、室外機制御部は室外機内の各種機器を制御することで、空気調和運転を停止させる。
【００８１】
また、現在時刻が停止時予定時刻Ｔ２に到達するまでに、コントローラを介して空調対象者から指示があった場合、制御部は、その指示内容が空気調和運転の運転停止指示であるか否かを判断する（ステップＳ４７）。指示内容が空気調和運転の運転停止指示であった場合、通信部から室内機制御部および室外機制御部に運転停止の制御指令が送信される。そして、室内機制御部は室内機内の各種機器を制御し、室外機制御部は、室外機内の各種機器を制御することで、空気調和運転を停止させる（ステップＳ４６）。また、指示内容が、空気調和運転の運転停止指示以外の指示（例えば、設定温度の変更等）Ｐ２であった場合、通信部から、室内機制御部および室外機制御部に、省エネルギー制御解除の制御指令、および、この指示に基づく制御指令が送信される。そして、通信部から送信された制御指令に基づいて、室内機制御部は室内機内の各種機器を制御し、室外機制御部は室外機内の各種機器を制御する。また、制御部は、空調対象者からの指示があった時刻から所定時間（例えば、１時間）Ｔｗ後の時刻を新たな停止予定時刻Ｔ４として、予め決定していた停止予定時刻Ｔ２から変更する（ステップＳ４８）。また、変更された停止予定時刻Ｔ４に基づいて、省エネルギー制御の開始時刻Ｔ３を新たに決定する。このようにして、現在時刻が運転停止予定時刻に到達するまで、あるいは、空調対象者からの運転停止の指示が出されるまで、空気調和運転が行われる。なお、図１４におけるＰ１およびＰ２は、空調対象者からの運転停止以外の指示Ｐ１，Ｐ２があった時刻を示している。
【００８２】
なお、現在時刻が停止予定時刻Ｔ４に到達した後にコントローラを介して空調対象者から空気調和運転の運転開始指示があった場合には、通信部から室内機制御部および室外機制御部に運転開始の制御指令が送信される。そして、通信部から運転開始の制御指令が送信されると、室内機制御部は室内機内の各種機器を制御し、室外機制御部は室外機内の各種機器を制御することによって、空気調和機の運転が開始される。そして、現在時刻が運転停止予定時刻に到達するまで、あるいは、空調対象者からの運転停止の指示が出されるまで、空気調和運転が行われる。
【００８３】
（Ｄ）
上記実施形態では、決定部６４ｂは、空気調和機３の過去の運転実績に基づいて、停止予定時刻を決定している。しかし、空調対象空間内に配備されている空気調和機以外の機器の稼働状況に基づいて、停止予定時刻が決定されてもよい。例えば、空調対象空間内に配備されている照明機器の稼働状況に基づいて空気調和運転の運転停止予定時刻を決定することができる空調制御システム１０１について説明する。なお、図１５では、空調制御システム、空調制御装置および照明機器以外の構成は、第１実施形態と同様であるため、空調制御システム、空調制御装置および照明機器以外については第１実施形態と同様の符号を付している。
【００８４】
この空調制御システム１０１では、図１５に示すように、空調制御装置１６０は、空調対象空間に複数配備されているすべての照明機器１２１ａ，１２１ｂ，１２１ｃと接続されており、照明機器１２１ａ，１２１ｂ，１２１ｃの稼働台数情報を受信することができる。また、空調制御装置１６０は、この稼働台数情報を受信すると、現在稼働している照明機器１２１ａ，１２１ｂ，１２１ｃの台数が所定台数以下であるか否かを判断する。そして、空調制御装置１６０は、稼働している照明機器１２１ａ，１２１ｂ，１２１ｃが所定台数以下であると判断した場合、この判断を行った時刻から所定時間（例えば、１時間）後を停止予定時刻に決定する。また、停止予定時刻に基づいて、省エネルギー制御開始時刻を決定する。このようにして、空調制御システムでは、照明機器の稼働状況に基づいて、運転停止予定時刻を決定することができる。
【００８５】
これによって、空調対象空間内に配備されている空気調和機以外の機器の稼働状況を利用して、停止予定時刻を決定することができる。
【００８６】
−第２実施形態−
本発明の第２実施形態に係る空気調和システム２０１の概略冷媒回路を図１６に示す。なお、第２実施形態では、空調制御装置および空調制御システムの制御動作以外の構成は、第１実施形態と同様である。したがって、第２実施形態では、空調制御装置２６０および空調制御システム２０１の制御動作のみを以下に説明する。
【００８７】
＜空調制御装置＞
空調制御装置２６０、図１７に示すように、指示情報等を送受信するための通信部２６３と、記憶部２６５と、人検知センサ２５１と、ＲＡＭやＣＰＵ等からなる制御部２６４とを有している。
【００８８】
通信部２６３は、コントローラ２５０を介して送信される空調対象者からの指示情報を受信して、制御部２６４に送信する。また、通信部２６３は、制御部２６４から受信した制御指令を室内機制御部２６１ａ，２６１ｂ，２６１ｃおよび室外機制御部２６２に送信する。
【００８９】
人検知センサ２５１は、所定領域を通過した人数をカウントすることができるセンサであって、制御部２６４と接続されている。また、人検知センサ２５１は、空調対象空間を形成する部屋の出入口に設置されており、部屋内に入った人数および部屋内から出て行った人数をそれぞれカウントする。また、人検知センサ２５１は、カウントしたそれぞれの人数を、入室人数情報および退室人数情報として制御部２６４に送信する。なお、本実施形態では、人検知センサ２５１は、所定領域を通過した人数をカウントすることができるセンサであるが、空調対象空間内に現在居る人数（以下、在室人数という）をカウントすることができるセンサであればよい。
【００９０】
制御部２６４は、通信部２６３から送信される空調対象者からの指示情報に基づいて、空気調和機２０３が行う運転内容についての制御指令を通信部２６３に送信する。運転内容についての制御指令とは、例えば、空気調和運転の運転開始や運転停止、設定温度や設定風量の変更および省エネルギー制御の開始等の制御指令である。また、省エネルギー制御とは、空気調和機２０３の消費電力を抑制するために、空気調和運転時に行われる制御である。なお、本実施形態では、省エネルギー制御とは、強制サーモオフを行う制御とする。
【００９１】
また、空気調和運転時には、制御部２６４は、室温サーミスタによって検出される室内温度情報から得られる室内温度値と、外気温度サーミスタによって検出される外気温度情報から得られる外気温度値とに基づいて、室内環境が快適であるか否かを判定する。また、制御部２６４による前記判定は所定時間（例えば、３分）毎に行われる。なお、室内環境が快適であるか否かの判定は、図１８に示す快適範囲Ｗに基づいて行われる。快適範囲Ｗとは、暖房運転時では、室内温度値＞外気温度値＋５となる範囲であり、冷房運転時では、室内温度値＜外気温度値−５となる範囲である。制御部２６４は、室内環境が快適でないと判定した場合、室内温度値Ｘが快適範囲Ｗ内となるように、通信部２６３に制御指令を送信する。なお、本実施形態では、快適範囲を室内温度および外気温度に基づいて設定しているが、室内環境が快適であるか否かを判定するための指標となるものであれば、これに限定されない。
【００９２】
また、制御部２６４は、予測部２６４ｃと、決定部２６４ｂとを有している。
【００９３】
予測部２６４ｃは、人検知センサ２５１から送信される入室人数情報および退室人数情報を受信し、これら情報に基づいて在室人数を算出する。また、予測部２６４ｃは、算出した在室人数が所定人数（例えば、３人）以下であるか否かを判断する。なお、在室人数の算出は、人検知センサ２５１から入室人数情報または退室人数情報が送信される毎に行われる。また、予測部２６４ｃによる在室人数の判断は、所定時間（例えば、５分）毎に行われる。
【００９４】
さらに、予測部２６４ｃは、在室人数が所定人数以下であると判断した場合に、その判断が行われた時刻Ｔｄ１，Ｔｄ２から所定時間（例えば、１時間）Ｔｗ後の時刻を算出する。
【００９５】
また、決定部２６４ｂは、予測部２６４ｃによって算出された時刻を、運転の停止予定時刻Ｔ２に決定する。なお、本実施形態では、停止予定時刻を上記判断時刻から所定時間後に決定しているが、在室人数を所定時間（例えば、１時間）毎に判断し、時間毎における在室人数の変化に基づいて、停止予定時刻を決定してもよい。さらに、決定部２６４ｂは、省エネルギー制御の開始時刻Ｔ１を決定する。省エネルギー制御の開始時刻Ｔ１とは、運転停止予定時刻Ｔ２から遡って省エネルギー制御を行った場合に、運転停止予定時刻Ｔ２における室内温度値Ｘが快適範囲Ｗの境界部Ｌとなるような時刻である。快適範囲Ｗの境界部Ｌとは、具体的には、暖房運転時には、室内温度値＝外気温度値＋５となる部分であり、冷房運転時には、室内温度値＝外気温度値−５となる部分である。
【００９６】
＜空調制御システムの制御動作＞
図１９は、本実施形態の空気調和システム２０１による処理の流れを示すフローチャートである。この処理は、空調制御装置２６０の記憶部２６５に格納された所定の制御プログラムに従って、空調制御装置２６０によって実行される。
【００９７】
決定部２６４ｂは、予測部２６４ｃによって在室人数が所定人数以下であると判断された場合、その判断が行われた時刻Ｔｄ１から所定時間Ｔｗ後を運転の停止予定時刻Ｔ２に決定する（ステップＳ５１およびステップＳ５２）。また、決定部２６４ｂは、省エネルギー制御の開始時刻Ｔ１を決定する。そして、現在時刻が省エネルギー制御の開始時刻Ｔ１に到達すると、通信部２６３から室内機制御部２６１ａ，２６１ｂ，２６１ｃおよび室外機制御部２６２に、省エネルギー制御開始の制御指令が送信される。省エネルギー制御開始の制御指令が通信部２６３から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転において省エネルギー制御を行う。
【００９８】
そして、省エネルギー制御を開始してから、現在時刻が停止予定時刻Ｔ２に到達するまでに、コントローラ２５０を介した空調対象者からの指示がなかった場合、通信部２６３から室内機制御部２６１ａ，２６１ｂ，２６１ｃおよび室外機制御部２６２に、空気調和機３の運転停止の制御指令が送信される（ステップＳ５３、ステップＳ５４およびステップＳ５５）。運転停止の制御指令が通信部２６３から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転を停止させる。
【００９９】
また、現在時刻が停止時予定時刻Ｔ２に到達するまでに、コントローラ２５０を介して空調対象者から指示があった場合、制御部２６４は、その指示内容が空気調和機２０３の運転停止指示であるか否かを判断する（ステップＳ５６）。指示内容が空気調和機３の運転停止指示であった場合、通信部２６３から室内機制御部２６１ａ，２６１ｂ，２６１ｃおよび室外機制御部２６２に運転停止の制御指令が送信される（ステップＳ５５）。そして、室内機制御部２６１ａ，２６１ｂ，２６１ｃは室内機２０２ａ，２０２ｂ，２０２ｃ内の各種機器を制御し、室外機制御部２６２は、室外機２２０内の各種機器を制御することで、空気調和運転を停止させる。また、指示内容が、空気調和機２０３の運転停止指示以外の指示（例えば、設定温度の変更等）Ｐ１であった場合、図１８に示すように、通信部２６３から室内機制御部２６１ａ，２６１ｂ，２６１ｃおよび室外機制御部２６２に、省エネルギー制御解除の制御指令、および、この指示に基づく制御指令が送信される。そして、通信部２６３から送信された制御指令に基づいて、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御する。そして、所定時間後毎に行われる在室人数の判断時において、予測部２６４ｃによって在室人数が所定人数以下であると判断された場合、決定部２６４ｂはその判断が行われた時刻Ｔｄ２から所定時間Ｔｗ後を運転の停止予定時刻Ｔ４に決定する（ステップＳ５１およびステップＳ５２）。また、決定部２６４ｂは、省エネルギー制御の開始時刻Ｔ３を決定する。そして、現在時刻が省エネルギー制御の開始時刻Ｔ３に到達すると、通信部２６３から室内機制御部２６１ａ，２６１ｂ，２６１ｃおよび室外機制御部２６２に、省エネルギー制御開始の制御指令が送信される。省エネルギー制御開始の制御指令が通信部２６３から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転において省エネルギー制御を行う。
【０１００】
そして、省エネルギー制御を開始してから、現在時刻が停止予定時刻Ｔ４に到達するまでに、コントローラ２５０を介した空調対象者からの指示がなかった場合、通信部２６３から室内機制御部２６１ａ，２６１ｂ，２６１ｃおよび室外機制御部２６２に、空気調和機３の運転停止の制御指令が送信される（ステップＳ５３、ステップＳ５４およびステップＳ５５）。運転停止の制御指令が通信部２６３から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転を停止させる。
【０１０１】
また、現在時刻が停止時予定時刻Ｔ４に到達するまでに、コントローラ２５０を介して空調対象者から指示があった場合、制御部２６４は、その指示内容が空気調和機２０３の運転停止指示であるか否かを判断する（ステップＳ５６）。指示内容が空気調和機３の運転停止指示であった場合、通信部２６３から室内機制御部２６１ａ，２６１ｂ，２６１ｃおよび室外機制御部２６２に運転停止の制御指令が送信される（ステップＳ５５）。そして、室内機制御部２６１ａ，２６１ｂ，２６１ｃは室内機２０２ａ，２０２ｂ，２０２ｃ内の各種機器を制御し、室外機制御部２６２は、室外機２２０内の各種機器を制御することで、空気調和運転を停止させる。また、指示内容が、空気調和機２０３の運転停止指示以外の指示であった場合、ステップＳ５６からステップＳ５１を経て、ステップＳ５２以降のステップに至る。このようにして、現在時刻が運転停止予定時刻に到達するまで、あるいは、空調対象者からの運転停止の指示が出されるまで、空気調和運転が行われる。
【０１０２】
なお、現在時刻が停止予定時刻Ｔ４に到達した後に、コントローラ２５０を介して空調対象者から空気調和運転の運転開始指示があった場合、通信部２６３から室内機制御部２６１ａ，２６１ｂ，２６１ｃおよび室外機制御部２６２に運転開始の制御指令が送信される（ステップＳ５７）。そして、通信部２６３から運転開始の制御指令が送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することによって、空気調和機２０３の運転が開始される。そして、所定時間後毎に行われる予測部２６４ｃによる在室人数の判断時において在室人数が所定人数以下であると判断された場合、ステップＳ５７からステップＳ５１を経てステップＳ５２以降のステップへと至る。この場合もまた、空調対象者によって、運転停止の指示が出されるまで、空気調和運転が行われる。
【０１０３】
＜特徴＞
上記実施形態では、人検知センサ２５１の検知結果に基づいて、運転停止予定時刻を決定している。このため、人検知センサ２５１の検知結果を利用して、省エネルギー制御の開始時刻を決定することができる。したがって、現在時刻が省エネルギー制御開始時刻に到達した場合、省エネルギー制御を開始することができる。
【０１０４】
これによって、スケジュール設定が為されていない場合でも、省エネルギーを実現させることができている。
【０１０５】
＜変形例＞
上記実施形態では、予測部２６４ｃ（以下、第１予測部という）が、在室人数に基づいて所定の時刻を算出することで運転の停止予定時刻を予測している。しかし、空気調和運転を行う空気調和機や照明機器等の設備機器の稼働状況に基づいて空気調和運転の運転停止予定時刻を予測する第２予測部または第１予測部のいずれか一方が、予め設定されている設定条件に基づいて、運転の停止予定時刻を予測する空調制御システムであってもよい。
【０１０６】
例えば、空調制御装置３６０が、第１予測部３６４ｄと、第２予測部３６４ｅとを有する制御部３６４を備えており（図２０参照）、空調対象者がコントローラ３５０等によって予測部３６４ｄ，３６４ｅの選択設定が可能である空調制御システムについて説明する。この空調制御システムにおいて、空調対象者によって曜日毎に第１予測部３６４ｄまたは第２予測部３６４ｅのいずれか一方が運転の停止予定時刻を予測するように設定されている場合、制御部３６４では、曜日毎の設定に基づいて第１予測部３６４ｄまたは第２予測部３６４ｅのいずれか一方が選択され、選択された予測部３６４ｄ，３６４ｅによって運転の停止予定時刻が予測される。このため、この空調制御システムでは、空調対象者の都合に応じて停止予定時刻の予測を行うことができる。
【０１０７】
これによって、空調対象者の快適性を向上させることができる。
【０１０８】
また、上記実施形態では、空調制御装置２６０は、通信部２６３から各室内機制御部２６１ａ，２６１ｂ，２６１ｃに同様の制御指令を送信しているが、各室内機制御部に異なる制御指令を送信し、室内機毎に予測部を選択できるようにしてもよい。
【産業上の利用可能性】
【０１０９】
本発明は、スケジュール設定が為されていない場合でも省エネルギーを実現させることができるため、空調制御システムへの適用が有効である。
【図面の簡単な説明】
【０１１０】
【図１】本発明の第１実施形態に係る空調制御システムの概略冷媒回路図。
【図２】本発明の第１実施形態における空調制御装置の制御ブロック図。
【図３】本発明の第１実施形態における室内環境の変化を示す図。
【図４】本発明の第１実施形態に係る空調制御システムの制御の流れを示すフローチャート。
【図５】本発明の第１実施形態における室内環境の変化を示す図。
【図６】本発明の第１実施形態における室内環境の変化を示す図。
【図７】本発明の第１実施形態の変形例（Ａ）に係る空調制御システムの制御の流れを示すフローチャート。
【図８】本発明の第１実施形態の変形例（Ａ）における室内環境の変化を示す図。
【図９】本発明の第１実施形態の変形例（Ｃ）に係る空調制御システムの制御の流れを示すフローチャート。
【図１０】本発明の第１実施形態の変形例（Ｃ）における室内環境の変化を示す図。
【図１１】本発明の第１実施形態の変形例（Ｃ）に係る空調制御システムの制御の流れを示すフローチャート。
【図１２】本発明の第１実施形態の変形例（Ｃ）における室内環境の変化を示す図。
【図１３】本発明の第１実施形態の変形例（Ｃ）に係る空調制御システムの制御の流れを示すフローチャート。
【図１４】本発明の第１実施形態の変形例（Ｃ）における室内環境の変化を示す図。
【図１５】本発明の第１実施形態の変形例（Ｄ）係る空調制御システムの概略冷媒回路図。
【図１６】本発明の第２実施形態に係る空調制御システムの概略冷媒回路図。
【図１７】本発明の第２実施形態における空調制御装置の制御ブロック図。
【図１８】本発明の第２実施形態における室内環境の変化を示す図。
【図１９】本発明の第２実施形態に係る空調制御システムの制御の流れを示すフローチャート。
【図２０】本発明の第２実施形態の変形例における空調制御装置の制御ブロック図。
【符号の説明】
【０１１１】
５０      コントローラ（受付部）
６４ａ    算出部
６４ｃ      予測部
６５      記憶部（記録部）
２５１      人検知センサ（検知部）
２６４ｃ  予測部（第１予測部）
３６４ｄ    第１予測部
３６４ｅ    第２予測部
１，１０１，２０１  空調制御システム
３，２０３  空気調和機（設備機器）
６４ｂ，２６４ｂ  決定部
１２１ａ，１２１ｂ，１２１ｃ，２２１ａ，２２１ｂ，２２１ｃ  照明機器（設備機器）
Ｔ１，Ｔ３  省エネルギー制御の開始時刻
Ｔ２，Ｔ４  停止予定時刻（運転停止予定時刻）
【図１】
0005109732.tif 000002
【図２】
0005109732.tif 000003
【図３】
0005109732.tif 000004
【図４】
0005109732.tif 000005
【図５】
0005109732.tif 000006
【図６】
0005109732.tif 000007
【図７】
0005109732.tif 000008
【図８】
0005109732.tif 000009
【図９】
0005109732.tif 000010
【図１０】
0005109732.tif 000011
【図１１】
0005109732.tif 000012
【図１２】
0005109732.tif 000013
【図１３】
0005109732.tif 000014
【図１４】
0005109732.tif 000015
【図１５】
0005109732.tif 000016
【図１６】
0005109732.tif 000017
【図１７】
0005109732.tif 000018
【図１８】
0005109732.tif 000019
【図１９】
0005109732.tif 000020
【図２０】
0005109732.tif 000021